(57)【要約】【課題】本体建物の正面側の立ち上がり面に建物としての顔を付与するファサードを備えるものでありながら、本体建物の建築コストを低く抑えることができ、しかも、ファサードの変更をコスト的に有利に行うことができるファサードを備えた建物システムを提供する。【解決手段】ファサードレス本体建物１とファサード形成用建造物２とで構成され、ファサード形成用建造物２は、本体建物１の屋外側の敷地３に本体建物１とは別に建てられ、本体建物１の正面側の立ち上がり面に沿うよう立ち上げられて本体建物１の正面側の立ち上がり面を装飾し、本体建物１に建物としての顔を付与するものである。【選択図】      図１
2004211324.tif 000002
【特許請求の範囲】
【請求項１】
ファサードレス本体建物と、
該本体建物の屋外側の敷地に本体建物とは別に建てられ、本体建物の正面側の立ち上がり面に沿うよう立ち上げられて本体建物の正面側の立ち上がり面を装飾し、本体建物に建物としての顔を付与するファサード形成用建造物と
で構成されることを特徴とするファサードを備えた建物システム。
【発明の詳細な説明】
【０００１】
【発明の属する技術分野】
本発明は、店舗用建物などとして用いられるファサードを備えた建物システムに関する。
【０００２】
【従来の技術】
例えば、郊外に建てられる物販店や飲食店などの店舗用建物には、その正面側の立ち上がり面それ自体に、建物としての顔を形成するファサードが造り込まれて備えられている。
【０００３】
【発明が解決しようとする課題】
しかしながら、ファサードを本体建物それ自体に造り込む構造では、本体建物の設計や施工をファサードの造込みを考慮して行っていかなければならず、建物の建築コストが高くつくという問題がある。
【０００４】
また、上記のようにファサードが本体建物それ自体に造り込まれていたのでは、店舗の改装や、テナントの変更、建物の譲渡や貸与において、ファサードを別の新たなファサードに変更するのに本体建物に対して大掛かりな工事を行う必要を生じ、コストが高くつくという問題がある。
【０００５】
本発明は、上記のような問題点に鑑み、本体建物の正面側の立ち上がり面に建物としての顔を付与するファサードを備えるものでありながら、本体建物の建築コストを低く抑えることができ、しかも、ファサードの変更をコスト的に有利に行うことができるファサードを備えた建物システムを提供することを課題とする。
【０００６】
【課題を解決するための手段】
上記の課題は、ファサードレス本体建物と、
該本体建物の屋外側の敷地に本体建物とは別に建てられ、本体建物の正面側の立ち上がり面に沿うよう立ち上げられて本体建物の正面側の立ち上がり面を装飾し、本体建物に建物としての顔を付与するファサード形成用建造物と
で構成されることを特徴とするファサードを備えた建物システムによって解決される。
【０００７】
この建物システムでは、本体建物の正面側の立ち上がり面を装飾し本体建物に建物としての顔を付与するファサード形成用建造物が、本体建物の屋外側の敷地に本体建物とは別に建てられ、本体建物の正面側の立ち上がり面に沿うよう立ち上げられるようになされているので、本体建物の設計、施工において本体建物へのファサードの造込みを考慮する必要がなく、そのため、本体建物の建築コストを低く抑えることができる。
【０００８】
しかも、ファサード形成用建造物は、このように本体建物の屋外側の敷地に本体建物とは別に建てられ、本体建物の正面側の立ち上がり面に沿うよう立ち上げられるようになされているので、ファサードの変更において、本体建物の変更を全くあるいはほとんど必要とせず、そのためファサードの変更をコスト的に有利に行うことができる。
【０００９】
【発明の実施の形態】
次に、本発明の実施形態を図面に基づいて説明する。
【００１０】
図１及び図２に示す建物は、例えば、郊外型などの物販店、飲食店などの店舗用建物に用いられるもので、１がファサードレス本体建物、２がファサード形成用建造物である。
【００１１】
ファサードレス本体建物１は、正面側の立ち上がり面に店舗としての顔となるような装飾が施されていないが、敷地３に建築され、建物として機能的に完成されたものからなっていて、鉄骨造、木造、鉄筋コンクリート造などいずれの種類の建物からなっていてもよい。
【００１２】
ファサード形成用建造物２は、本体建物１の屋外側の敷地３に本体建物１とは別に建てられ、本体建物１の正面側の立ち上がり面に沿うよう立ち上げられて本体建物１の正面側の立ち上がり面を装飾し、本体建物１に建物としての顔を付与するものである。
【００１３】
なお、ファサード形成用建造物２は、敷地３に建てられその自重を敷地３の地盤に支えさせるように建てられるものであるが、本体建物１の正面側の立ち上がり面に沿うよう立ち上げられるので、風や地震などによる水平力に対する安定性を確保するため、その必要の限度において、本体建物１に連結されていてもよい。また、ファサード形成用建造物２は、現場で組み立てられる形式のものであってもよいし、工場などで組み立てられたものを現場に設置する形式のものであってもよい。
【００１４】
図３乃至図５は、ファサード形成用建造物２の他のいくつかの例を示したもので、デザイン形態の異なる様々なファサード形成用建造物２を採用することにより、本体建物１を共通にしながらその正面側立ち上がり面に異なる個性的な顔をもたせることができる。
【００１５】
上記の建物システムでは、ファサード形成用建造物２は、本体建物１の屋外側の敷地に本体建物１とは別に建てられ、本体建物１の正面側の立ち上がり面に沿うよう立ち上げられて備えられるので、本体建物１の設計、施工において本体建物１へのファサードの造込みを考慮する必要がなく、そのため、本体建物１の建築コストを低く抑えることができる。
【００１６】
しかも、ファサード形成用建造物２は、このように本体建物１の屋外側の敷地３に本体建物１とは別に建てられ、本体建物１の正面側の立ち上がり面に沿うよう立ち上げられて備えられるので、ファサードの変更においては、本体建物１の変更を全くあるいはほとんど必要とせず、そのためファサードの変更をコスト的に有利に行うことができる。
【００１７】
加えて、このようなファサード形成用建造物２の自重を本体建物１に支えさせずに、敷地３の地盤に支えさせるようにしているので、本体建物１の正面側の立ち上がり面に立体性の高いファサードを備えさせることも可能となる。
【００１８】
なお、本発明の建物システムは、店舗用建物に限られるものではなく、事務所用建物など、各種建物に適用しうるものであることはいうまでもない。また、本体建物の正面とは、その建物の顔となりうる立ち上がり面を言い、上記の実施形態では、建物の一面である場合を示しているが、二面であってもよいし、三面であってもよいし、本体建物１の周囲全面であってもよい。また、本発明においていうファサードとは、本体建物の正面側の立ち上がり面を装飾し、本体建物に建物としての顔を付与するものをいい、建物の外構を意味するものではない。
【００１９】
【発明の効果】
本発明は、以上のとおりのものであるから、本体建物の正面側の立ち上がり面に建物としての顔を付与するファサードを備えるものでありながら、本体建物の建築コストを低く抑えることができ、しかも、ファサードの変更をコスト的に有利に行うことができる。
【図面の簡単な説明】
【図１】実施形態の建物システムを示すもので、図（イ）は本体建物とファサード形成用建造物とを分離状態にして示す斜視図、図（ロ）は本体建物にファサード形成用建造物を適用した建物の斜視図である。
【図２】図（イ）は本体建物にファサード形成用建造物を適用した建物の概略平面図、図（ロ）は同概略側面図である。
【図３】図（イ）及び図（ロ）はそれぞれファサード形成用建造物の他の例を示す斜視図である。
【図４】図（ハ）及び図（ニ）はそれぞれファサード形成用建造物の更に他の例を示す斜視図である。
【図５】図（ホ）はファサード形成用建造物の更に他の例を示す斜視図である。
【符号の説明】
１…本体建物
２…ファサード形成用建造物
３…敷地
【図１】
2004211324.tif 000003
【図２】
2004211324.tif 000004
【図３】
2004211324.tif 000005
【図４】
2004211324.tif 000006
【図５】
2004211324.tif 000007